(57)【要約】【課題】錘が岩等に衝突したとき変形し難い鉛製の錘とし、しゃくり時の良好なアクションを得ると共に、低重心の錘とすることによってキレのあるアクションが得られるエギと呼ばれる魚釣り用ルアーを提供する。また、ルアー本体に被せた布の左右両下端部を収容するルアー本体の腹部に形成した均一幅の狭い幅のスリットに挿入される錘の取り付けを達成し、取り付けによるバラツキが実質生じないようにして、所期のアクションが得られる魚釣り用ルアーを提供する。【解決手段】ルアー本体の腹部から下方に突出するよう支持された錘は、取り付け基部を上端部に形成しルアー本体の腹部から下方に突出したステンレススチ−ル等の錆び難い硬質金属製板状の基板材と、ルアー本体の腹部から下方に突出した基板材の左右両面を覆う鉛等の軟質錘部材からなり、軟質錘部材で覆う状態が、ルアー本体の腹部から下方に突出する錘の前端縁から下端縁に亘って基板材が軟質錘部材よりも突出した状態である。【選択図】図４
0003140485.tif 000002
【実用新案登録請求の範囲】
【請求項１】
合成樹脂からなるルアー本体と、前記ルアー本体の腹部に前後方向に形成した取り付け凹部に取り付け基部が差し込まれて前記ルアー本体の腹部から下方に突出するよう支持された錘を備える魚釣り用ルアーにおいて、前記錘は、前記取り付け基部を上端部に形成し前記ルアー本体の腹部から下方に突出したステンレススチ−ル等の錆び難い硬質金属製板状の基板材と、前記ルアー本体の腹部から下方に突出した前記基板材の左右両面を覆う鉛等の軟質錘部材からなり、前記軟質錘部材で覆う状態が、前記ルアー本体の腹部から下方に突出する前記錘の前端縁から下端縁に亘って前記基板材が前記軟質錘部材よりも外方へ突出した状態であることを特徴とする魚釣り用ルアー。
【請求項２】
合成樹脂からなるルアー本体と、前記ルアー本体の腹部に前後方向に形成した取り付け凹部に取り付け基部が差し込まれて前記ルアー本体の腹部から下方に突出するよう支持された錘を備える魚釣り用ルアーにおいて、前記ルアー本体は、その背部から被せた布で覆われると共に、前記布の左右両下端部を収容するために前記ルアー本体の腹部に頭部から尾部に向けて均一幅のスリットを有し、前記錘は、前記取り付け基部を上端部に形成し前記ルアー本体の腹部から下方に突出したステンレススチ−ル等の錆び難い硬質金属製板状の基板材と、前記ルアー本体の腹部から下方に突出した前記基板材の左右両面を覆う鉛等の軟質錘部材からなり、前記取り付け基部は前記布の左右両下端部間を通って前記スリットの一部分を前記取り付け凹部として差し込まれる幅に形成され、前記軟質錘部材で覆う状態が、前記ルアー本体の腹部から下方に突出する前記基板材の前端縁から下端縁に亘って前記基板材が前記軟質錘部材よりも外方に突出した状態であることを特徴とする魚釣り用ルアー。
【考案の詳細な説明】
【技術分野】
【０００１】
本考案は、一般的にエギと呼ばれる魚釣り用ルアーに関し、特に、錘の構成に関する。
【背景技術】
【０００２】
一般的にエギと呼ばれる魚釣り用ルアーとして、合成樹脂製または金属製のルアー本体と、ルアー本体の腹部に前後方向に形成した凹部に取り付け基部が差し込まれてルアー本体の腹部から下方に突出する錘を備えたものがある。（特許文献１参照）。この錘は、鉛やタングステン、スチールなどの金属又はこれらの合金からなり、板状部と、板状部の下縁のフランジと、板状部の上端に凸部を有し、この凸部をルアー本体の腹部に差し込み取り付けるものである。
【特許文献１】特開２００３−１４４０１１号公報
【考案の開示】
【考案が解決しようとする課題】
【０００３】
ルアー本体の腹部に取り付ける板状の錘は、重量を保持し安価なものとして鉛で形成したものが多く存在する。ここで、この種の魚釣り用ルアーに板状の錘を使用した先行技術の一例を図１１、図１２に示す。図１１はこの先行技術に係る魚釣り用ルアーのルアー本体の底面図であり、図１２はこの魚釣り用ルアーのルアー本体と錘部分の断面図である。これら図において、魚釣り用ルアー５０は、烏賊に違和感を与えないようにするために、ルアー本体５１をその背部から被せた布５２で覆い、この布５２の左右両下端部を収容するために、ルアー本体５１の腹部に頭部から尾部に掛けて均一の狭い幅ｔ１（１ｍｍ程度）のスリット５３を形成している。
【０００４】
この幅ｔ１（１ｍｍ程度）のスリット５３に、鉛で形成した錘５５の上端の取り付け基部５４を差し込んで取り付ける場合は、この錘５５が岩等の障害物に衝突したときの十分な強度を保つことができない。そのため、取り付け基部５４は図示のように、十分な厚い幅ｔ２（３〜３．５ｍｍ程度）を持つ形状にし、この厚い幅ｔ２の取り付け基部５４を差し込むために、スリット５３の一部分を広くした取り付け凹部５６としている。
【０００５】
ルアー本体を合成樹脂製とする場合は、鉛で形成した錘５５の場合は、スリット５３の一部分を広くした取り付け凹部５６とするような成形金型が必要である。また、鉛で取り付け基部５４を一体に作った錘５５の場合は、鉛を金型で所定形状に成形する際に、数％の重量誤差が生じるため、これによって取り付け基部５４の幅ｔ２の寸法にバラツキが生じる。このため、取り付け凹部５６の幅ｔ３はそのバラツキ寸法の最大値が入る幅にしなければない。それによって、取り付け基部５４の幅ｔ２が最小値の錘５５の場合は、取り付け凹部５６に挿入されたときの隙間が大きくなり、錘５５が傾いた姿勢での取り付けとなり、錘５５の取り付け姿勢が一定せず様々になり、所期のルアーのアクション（釣り竿を鋭く引いて行なうしゃくり時に生じる様々な動き）が得られない状態となる。このように、所期のアクションが得られないことは釣果の低下に繋がり、好ましくない。
【０００６】
また、このように取り付け基部５４の幅ｔ２の寸法を大きくして強度を確保した場合でも、この錘５５の前端縁から下端縁に亘る部分が岩等の障害物に衝突したときには、錘５５が変形し易く、この変形によって魚釣り用ルアー５０のバランスが崩れ、その姿勢が所期の状態でなくなると共に、釣り竿を引いて行なうしゃくり時の良好なアクションが得られないものとなり、好ましくない。更に、幅の狭いスリット５３と幅の広い取り付け凹部５６の境目において、布５２が皺にならないような処理が面倒である。
【０００７】
本考案は、このような課題を解決するために、錘が岩等の障害物に衝突したとき、変形し難く耐久性がある鉛製の錘とし、しゃくり時の良好なアクションを得ると共に、低重心の錘とすることによってしゃくり時にキレのあるアクションが得られるエギと呼ばれる魚釣り用ルアーを提供する。また、ルアー本体に被せた布の左右両下端部を収容するよう、ルアー本体の腹部に形成した均一幅の狭い幅のスリットのまま、そこに錘の取り付け基部を挿入して取り付けるようにするために、錘の取り付け基部が十分な強度を保持し、且つその取り付け基部の寸法のバラツキが実質生じないようにして、安定した取り付けによる所期のアクションが得られるエギと呼ばれる魚釣り用ルアーを提供するものである。
【課題を解決するための手段】
【０００８】
第１考案は、合成樹脂からなるルアー本体と、前記ルアー本体の腹部に前後方向に形成した取り付け凹部に取り付け基部が差し込まれて前記ルアー本体の腹部から下方に突出するよう支持された錘を備えるエギと呼ばれる魚釣り用ルアーにおいて、前記錘は、前記取り付け基部を上端部に形成し前記ルアー本体の腹部から下方に突出したステンレススチ−ル等の錆び難い硬質金属製板状の基板材と、前記ルアー本体の腹部から下方に突出した前記基板材の左右両面を覆う鉛等の軟質錘部材からなり、前記軟質錘部材で覆う状態が、前記ルアー本体の腹部から下方に突出する前記錘の前端縁から下端縁に亘って前記基板材が前記軟質錘部材よりも外方へ突出した状態であるもの。
【０００９】
第２考案は、合成樹脂からなるルアー本体と、前記ルアー本体の腹部に前後方向に形成した取り付け凹部に取り付け基部が差し込まれて前記ルアー本体の腹部から下方に突出するよう支持された錘を備えるエギと呼ばれる魚釣り用ルアーにおいて、前記ルアー本体は、その背部から被せた布で覆われると共に、前記布の左右両下端部を収容するために前記ルアー本体の腹部に頭部から尾部に向けて均一幅のスリットを有し、前記錘は、前記取り付け基部を上端部に形成し前記ルアー本体の腹部から下方に突出したステンレススチ−ル等の錆び難い硬質金属製板状の基板材と、前記ルアー本体の腹部から下方に突出した前記基板材の左右両面を覆う鉛等の軟質錘部材からなり、前記取り付け基部は前記布の左右両下端部間を通って前記スリットの一部分を前記取り付け凹部として差し込まれる幅に形成され、前記軟質錘部材で覆う状態が、前記ルアー本体の腹部から下方に突出する前記基板材の前端縁から下端縁に亘って前記基板材が前記軟質錘部材よりも外方に突出した状態であることを特徴とする。
【考案の効果】
【００１０】
第１考案では、従来の鉛製の錘と同様の重量を持つ錘の製作が容易となり、製作も安定して行なえるものである。製作は、例えば、硬質金属製板状の基板材として厚さ０．６ｍｍの板状のステンレススチールを用い、このステンレススチールの前端縁から下端縁に亘る縁部と取り付け基部以外の両側面が金型の内部空間に面するように金型にセットし、軟質錘部材として鉛を金型の内部空間に流し込んで、鉛をステンレススチールの両側面に接合させる。この場合、ステンレススチールに形成した連通部を通して両側面の鉛が連続して一体化されることによって、ステンレススチールの両側面に鉛が安定した状態で保持でき、しゃくり等によって錘が引かれて岩等の障害物と衝突しても、その衝撃によって鉛が剥がれ落ちることもなく安定である。特に、しゃくり等によって錘が引かれる際には、軟質錘部材である鉛よりも先に硬質金属製板状の基板材であるステンレススチールの前端縁から下端縁に亘る縁部が岩等の障害物に衝突するため、錘の変形を防止でき、従来の鉛製の錘で生じていたような変形を防止でき、ルアーの所期のアクションを得ることができるものとなる。更に、錘全体を鉛で形成したものと同じ重量の錘とする場合にも、鉛の部分が錘の下部に集中するため低重心の錘となり、しゃくり等によって錘が引かれる際のルアーのアクションのキレが増し、従来のアクションよりも向上したアクションを得ることができるものとなる。
【００１１】
第２考案は、第１の考案の効果に加えて、硬質金属製板状の基板材として薄い板状のステンレススチールを用いれば、強度も十分確保できるものとなり、ルアー本体に被せた布の左右両下端部を収容するようルアー本体の腹部に形成した均一幅の狭い幅のスリットへ、そのまま錘の取り付け基部を挿入して取り付けても、十分な強度を保持した取り付けとなる。そして、取り付け基部が硬質金属製板状の基板材で形成されるため、寸法のバラツキが実質生じないものとなり、錘が傾いた取り付けとなるような取り付けムラが生じることがなく、安定した取り付けによって所期のアクションが得られる魚釣り用ルアーが提供できるものである。また、布の左右両下端部は、均一幅のスリットに挿入されるため皺になる虞はなく、布の左右両下端部の処理がし易くなる。
【考案を実施するための最良の形態】
【００１２】
本考案は、合成樹脂からなるルアー本体と、前記ルアー本体の腹部に前後方向に形成した取り付け凹部に取り付け基部が差し込まれて前記ルアー本体の腹部から下方に突出するよう支持された錘を備えるエギと呼ばれる魚釣り用ルアーにおいて、前記錘は、前記取り付け基部を上端部に形成し前記ルアー本体の腹部から下方に突出したステンレススチ−ル等の錆び難い硬質金属製板状の基板材と、前記ルアー本体の腹部から下方に突出した前記基板材の左右両面を覆う鉛等の軟質錘部材からなり、前記軟質錘部材で覆う状態が、前記ルアー本体の腹部から下方に突出する前記錘の前端縁から下端縁に亘って前記基板材が前記軟質錘部材よりも外方へ突出した状態であり、本考案の実施例を以下に記載する。
【実施例１】
【００１３】
本考案の実施の形態について説明する。図１は本考案に係る魚釣り用ルアーの側面図、図２は本考案に係る魚釣り用ルアーにおいて錘を取り付けたルアー本体の側面図、図３は図２のルアー本体の後方矢視図、図４は図１のＡ−Ａ断面図、図５は本考案に係る魚釣り用ルアーのルアー本体の底面図、図６は本考案に係る錘の斜視図、図７は本考案に係る錘の基板材の右側面図、図８は本考案に係る錘の軟質錘部材の右側面図、図９は本考案に係る錘の右側面図、図１０は本考案に係る錘の鉛を成形する断面図である。
【００１４】
図１はエギと呼ばれる本考案の魚釣り用ルアーの一つの形態の側面図を示している。１は魚釣り用ルアーであり、ＡＢＳ樹脂や高密度発泡ウレタンのような硬質性の合成樹脂製であるルアー本体２と、ルアー本体２の腹部に前後方向に形成した取り付け凹部３に取り付け基部１１が差し込まれてルアー本体２の腹部から下方に突出するよう支持された錘１０を備える。ルアー本体２の頭部には、釣り糸を係止する金属製リングのアイ４が取り付けられ、ルアー本体２の尾部には、ルアー本体２の周方向に複数の釣り針が並んだ針山５が取り付けられ、ルアー本体２の左右両側部には羽根６の取り付け部６Ａと目玉９の取り付け部９Ａ等が設けられている。
【００１５】
ルアー本体２は、烏賊に違和感を与えないようにするために、ルアー本体２をその背部から被せた布２０で覆い、この布２０の左右両下端部２０Ａを収容するために、ルアー本体２の腹部に頭部から尾部に掛けて均一幅の狭い幅（１ｍｍ程度）のスリット７を形成している。実施例のルアー本体２は、左右一対の半割り部材２Ａ、２Ｂの接合で構成された中空体であり、この半割り部材２Ａ、２Ｂは、ＡＢＳ樹脂の成形によって所期の形状に形成されている。このため、スリット７は左右一対の半割り部材の接合部に形成され、中空のルアー本体２を形成する。なお、高密度発泡ウレタンのルアー本体２では、中空部はないものにすることができる。
【００１６】
錘１０は、取り付け基部１１を上端部に突出形成しルアー本体２の腹部から下方に突出したステンレススチール等の錆び難い硬質金属製板状の基板材１２と、ルアー本体２の腹部から下方に突出した基板材１２の左右両面を覆う鉛等の軟質錘部材１３からなる。軟質錘部材１３で覆う状態（範囲）が、ルアー本体２の腹部から下方に突出する錘１０の前端縁１２Ａから下端縁１２Ａに亘って基板材１２が軟質錘部材１３よりも外方（前方及び下方）へ突出した状態である。
【００１７】
好ましい形態として、ルアー本体２がＡＢＳ樹脂の左右一対の半割り部材の成形体が接着されたものであり、基板材１２は厚さ０．５〜０．８ｍｍの範囲が好ましいが、実施例では厚さ０．６ｍｍの板状ステンレススチールを用い、軟質錘部材１３として鉛を用い、布２０の厚さは０．２〜０．４ｍｍの範囲が好ましいが、実施例では０．３ｍｍを用い、スリット７の幅は０．８〜１．２ｍｍの範囲が好ましいが、実施例では１ｍｍである。
【００１８】
錘１０の製作は、厚さ０．６ｍｍの板状のステンレススチール１２の前端縁から下端縁に亘る縁部１２Ａと取り付け基部１１以外の両側面に鉛１３が設けられている。錘１０の製作は、図１０に示すように、ステンレススチール１２の前端縁から下端縁に亘る縁部１２Ａと取り付け基部１１以外の両側面が金型３０の内部空間３０Ａに面するように左右の金型３０間にセットし、軟質錘部材として鉛１３を金型の内部空間３０Ａに流し込んで、鉛１３をステンレススチール１２の両側面に接合させる。この場合、ステンレススチール１２に形成した孔や切り欠きにて形成した連通部１２Ｐを通して両側面の鉛１３が連続して一体化されることによって、ステンレススチール１２の両側面に鉛１３を安定した状態に保持でき、しゃくり等によって錘１０が引かれた際に生じる岩等の障害物との衝突においても、その衝撃に対して鉛１３が剥がれ落ちることもなく安定状態を維持できる。
【００１９】
上記のようにして製作された錘１０は、ルアー本体２に被せた布２０の左右両下端部２０Ａを折り曲げてスリット７に収容した状態で、左右の鉛１３の上端がルアー本体２の腹部に当接または近接する状態まで、取り付け基部１１を布２０の左右両下端部間を通ってスリット７の所定位置に挿入する。この場合、基板材１２の取り付け基部１１をスリット７に挿入する際に、布２０の左右両下端部２０Ａを潰しつつスリット７に押し込まれる寸法構成（所謂、圧入する構成）とすることによって、基板材１２の取り付け基部１１が左右方向にガタツキがない状態となり、錘１０の取り付けが安定するため正規の姿勢での取り付け状態となり、正常なアクションが得られるルアー１となる。
【００２０】
このように基板材１２の取り付け基部１１をスリット７に挿入した状態で、ルアー本体２と取り付け基部１１を貫通する前後の固定孔８に金属製固定ピン１５を差し込んで基板材１２を固定する。布２０はルアー本体２に接着剤で接着され、固定ピン１５は外周に付着した接着剤にて固定孔８に固定保持される。スリット７の一部が錘１０の取り付け凹部３となるため、錘１０の取り付け位置を特定するための位置決めとして、錘１０の取り付け基部１１の一部に上方へ突出した突出部１１Ａを形成し、この突出部１１Ａが嵌まり合うように、位置決め部１７としてスリット７の一部には上方に窪んだ凹部７Ａを形成し、突出部１１Ａと位置決め凹部７Ａによって、錘１０が位置決めされる。
【００２１】
この錘１０の取り付けによって明らかなように、鉛１３で覆う状態（範囲）は、ルアー本体２の腹部から下方に突出する錘１０の前端縁から下端縁１２Ａに亘って基板材１２が鉛１３よりも外方へ突出した状態である。このため、しゃくり等によって錘１０が引かれる際には、軟質錘部材である鉛１３よりも先に硬質金属製板状の基板材であるステンレススチール１２の前端縁から下端縁に亘る縁部１２Ａが岩等の障害物に衝突するため、錘１０の変形を防止でき、従来の鉛製の錘で生じていたような変形は生じないため、ルアー１の所期のアクションを得ることができるものとなる。
【産業上の利用可能性】
【００２２】
ルアー１の形態は、図のように形状とすることにより、好ましい効果を得ることができるが、形状は図示のものに限定されず、アクションが良好に行える形態であれば適用可能である。このため、上記の実施形態に限定されず、本考案の技術範囲において種々の構成のルアーに適用できるものである。
【図面の簡単な説明】
【００２３】
【図１】本考案に係る魚釣り用ルアーの側面図である。（実施例１）
【図２】本考案に係る魚釣り用ルアーにおいて錘を取り付けたルアー本体の側面図である。（実施例１）
【図３】図２のルアー本体の後方矢視図である。（実施例１）
【図４】図１のＡ−Ａ断面図である。（実施例１）
【図５】本考案に係る魚釣り用ルアーのルアー本体の底面図である。（実施例１）
【図６】本考案に係る錘の斜視図である。（実施例１）
【図７】本考案に係る錘の基板材の右側面図である。（実施例１）
【図８】本考案に係る錘の軟質錘部材の右側面図である。（実施例１）
【図９】本考案に係る錘の右側面図である。（実施例１）
【図１０】本考案に係る錘の鉛を成形する断面図である。（実施例１）
【図１１】先行技術に係る魚釣り用ルアーのルアー本体の底面図である。
【図１２】先行技術に係る魚釣り用ルアーのルアー本体と錘部分の断面図である。
【符号の説明】
【００２４】
１・・・・・魚釣り用ルアー
２・・・・・ルアー本体
３・・・・・取り付け凹部
４・・・・・アイ
５・・・・・針山
６・・・・・羽根
７・・・・・スリット
７Ａ・・・・位置決め凹部
８・・・・・固定孔
９・・・・・目玉
１０・・・・錘
１１・・・・取り付け基部
１１Ａ・・・突出部
１２・・・・硬質金属製板状の基板材
１２Ａ・・・前端縁から下端縁に亘る縁部
１２Ｐ・・・連通部
１３・・・・軟質錘部材
１５・・・・固定ピン
１７・・・・位置決め部
２０・・・・布
２０Ａ・・・布の左右両下端部
【図１】
0003140485.tif 000003
【図２】
0003140485.tif 000004
【図３】
0003140485.tif 000005
【図４】
0003140485.tif 000006
【図５】
0003140485.tif 000007
【図６】
0003140485.tif 000008
【図７】
0003140485.tif 000009
【図８】
0003140485.tif 000010
【図９】
0003140485.tif 000011
【図１０】
0003140485.tif 000012
【図１１】
0003140485.tif 000013
【図１２】
0003140485.tif 000014